(57)【要約】【課題】従来の無目は耐強度、耐風圧等の構成上の役目が主で、コマーシャルの機能は少ない。時に企業の顔である玄関の無目に企業名、ビル名等を入れていますが、しかし多くの場合夜間、エントランス全体が消灯して暗くなっていますので読めません。暗闇でも企業名、ビル名が読め、また防犯上から少しでも明るく出来ないか。【解決手段】無目を３重構造をし、内部の光源部を発光させ、企業名、ビル名を切抜き又コーディネイトした放光窓から光を放光することで、企業名、ビル名を放光無目に明るく浮き上がらせる事が出来、遠目からでも読み取る事が出来る。又光源部の色を時間と共に変化させ、放光窓や樹脂板のデザインや色を変えることで個性あるエントランスを演出できる。【選択図】図３
2010007444.tif 000002
【特許請求の範囲】
【請求項１】
構成建具の一部である無目の機能を維持しながら、無目内部に光源部を持ち、発光させ、前面部の企業名、ビル名や業態等の文字を持つ窓（放光窓）を通して外部に放光させ、ＰＲ発信を目的とする光源部と放光窓を持つ放光無目。
【請求項２】
前面部と光源部を取付ける設置部と光源部の取付け、撤去、修理の時必要な点検カバー部の３重構造を持つ請求項１に記載の放光無目。
【請求項３】
前面部の放光窓の背面に、樹脂板を留める為の樹脂板取付け溝を持つ請求項１に記載の放光無目。
【請求項４】
アルミフロントの７０ミリ用、１００ミリ用に組み込める構造を持つ請求項１に記載の放光無目。
【請求項５】
アルミフロント用の図３で点検カバーを開ける時、カバーを取り外す事無く回転させながら開けることが出来るよう、引き抜きで丸い構造のオン、メンのアルミ丁番とカバーを開保持させる為の爪を持つ請求項１に記載の放光無目。
【請求項６】
ステンレスサッシ、スチールサッシ、木製サッシに組み込める構造を持つ請求項１に記載の放光無目。
【発明の詳細な説明】
【技術分野】
【０００１】  この発明は従来の開口部を構成する構成部材の無目に、不足しているコマーシャル性やデザイン性を付加し、ＰＲ性を持たせることを目的とした無目である。
【背景技術】
【０００２】  従来の無目は開口部を構成する構成部材の一部であり、デザイン的な要素よりも主目的は耐強度、耐風圧のための部材であった。【０００３】  従来の無目を使用した一例として、図１を示し説明する。一般的にサッシの材質はアルミ、ステンレス、スチール、木等が有り、また開口部は多くの場合、方立、上枠、無目、巾木、扉等で構成されている。【０００４】  建物の玄関の無目に、よく企業名やビル名が明記されています。しかし夜間は消灯して、暗いために見えず、企業名やビル名が分らない事も多く有った。
【発明の開示】
【発明が解決しようとする課題】
【０００５】  以上述べた様に、従来の無目は耐強度や耐風圧等を重視した形状のため、無目から直接の発信性は少なく、コマーシャル性やデザイン性の機能には乏しかった。【０００６】  本発明は、従来の無目が持っている機能を維持しながら、かつコマーシャル性やデザイン性等を付加し、ＰＲ性を高めた無目を提供するものである。
【問題を解決するための手段】
【０００７】  従来の無目としての機能に加えて、内部に光源部を設けて発光させ、企業名、ビル名、業態等の文字やマークが浮き出るようなコマーシャル機能をもつ放光無目を、従来のサッシと組み合わせて開口部を構成させ、放光無目から企業のＰＲを発信させる。図２は図１の無目を放光無目に取替え、社名を浮かび上がらせた図で、一例として（株）アイシン技研としました。
【発明の効果】
【０００８】  放光無目から企業名、ビル名等を発信する事で、新たにコマーシャル性、デザイン性が発生し、ＰＲ性も提供できる。特に夜間、周囲が暗ければ暗いほど放光無目の効果が発揮できる。
【０００９】  コマーシャル性、デザイン性を有するものとして放光無目が認識されれば、改めてＰＲの媒体としての無目の効果が見直される。
【００１０】  放光無目を使用することで、付加価値が付き、サッシ自体の価値が上がる。
【００１１】  放光無目を前面部、設置部、点検カバー部の３重構造にすることで、在来の無目から放光無目に取替えたり、テナントが変わり、新しい放光無目に取替えたりが出来る。
【００１２】  無目から放光することで、周辺が明るくなり深夜の防犯に効果が見込める。
【発明を実施するための最良な形態】
【００１３】  図３は本発明のアルミフロントの場合の放光無目の断面図を示す。放光無目１の構成は２〜８で成り立つ。１と各々の役目を下記に記す。
放光無目１
図面の下側に寸法を入れましたが、１には見込み７０ミリ用と１００ミリ用が有ります。従来のフロント材と組み合わせて、開口部の構成建具としての機能と発明の主目的であるデザインやＰＲの機能を持ちます。前面部、設置部、点検カバー部の３重構造にし、背面には点検カバー部５、前面部３には放光窓６、樹脂板７、樹脂板取付け溝８を持つ。放光の仕組みは、内部に設けた光源部２を設置部４に取付け、発光させる。前面部３の６と７を通過した光は３より光が外部に放出されることで、無目にコマーシャルが浮かび上がる。
光源部２
２は１の内部に設置し、２の取付けに応じた穴を開けて設置部４にビスで取付ける。又２は１の一番重要な所で、光源の色の選択や時間と色を変化させることで、多様なコマーシャルのバリエーションを持たせる事が出来る。放熱による温度上昇が考えられるので、ＬＥＤ等の発熱の低い光源が望ましい。
前面部３
３は３重構造の一つで、無目の強度を保つ構成材のとしての機能とＰＲ機能としての放光窓６、樹脂板７、樹脂板取付け溝８を持つ。
設置部４
４は３重構造の一つで、無目の構成材としての機能とＰＲ機能としての光源部を取付ける役目を持つ。
点検カバー部５
５は３重構造の一つで、５を設ける事で２を隠すことが出来、１の取替、２の取付けや修理の時に開けます。５を開ける時はビスを外し、又回転機能を持たせているので、５を取外す事無く、回転させながら開けることが出来る。また爪ＡをＢに差し込むことで、開保持ができる機能も持つ。
放光窓６
デザイン通りに、四角形や文字型に切り抜き、更にコーディネイトしたりして、外部に光を放出する窓口の役目を持つ。２と共に放光無目の重要な所。
樹脂板７
７には企業名、ビル名、業態等を表記する。デザインや色を変える事で、放光に色々な変化を持たせ、且つ防塵、防雨の役目も合わせ持つ。ボンド又はシール剤で固定させる。
樹脂板取付け溝８
７をはめ込む溝で、樹脂板の取外しが出来るよう、上溝は深く下溝は浅い構造を持つ。
【００１４】  図４は本発明の放光無目２１のステンレスサッシ、スチールサッシの断面図を示す。
２１の構造と各々の役目を下記に記す。２１は内部に光源部２２が設けてあり設置部２４に２２を取付ける。背面には点検カバー部２５、前面部２３には放光窓２６、樹脂板２７、樹脂板取付け溝２８を持つことを特徴とする。また３重構造にすることで、設置後、別の放光無目に取替えることが出来る。なお図３との大きな違いは、図３はアルミの引き抜き材で、図４は曲げ加工のオーダー製品になります。従って図３とは材質、構造、寸法等違いは有りますが、２１〜２８の各々の役目は図３と同じなので、前項の１〜８に既に書きましたので省略する。
【実施例】
【００１５】  図２は図１と同じ正面図ですが、放光無目１や２１を使用して構成したイメージ図で、一例として、（株）アイシン技研としました。【００１６】  図５は図３の３や図４の２３を長方形に大きく切取り、（株）アイシン技研を１枚の樹脂板７や２７にデザインし、樹脂板取付け溝８や２８にはめた図。文字部分を透明にし、他の部分は暗くして、（株）アイシン技研を明るく浮き上がらせた放光窓の一例。【００１７】  図６は図３の３や図４の２３を（株）、ア、イ、シ、ン、技、研と一字毎、文字の形に７つ抜き、裏から樹脂板をあて、文字形を明るく浮き上がらせた放光窓の一例。なお図５は７文字の内、代表してアのみを表す。【００１８】  図７は図３の３や図４の２３を（株）、ア、イ、シ、ン、技、研と一字毎四角形に７つ抜き、個々の文字は樹脂板にデザインし、明るく浮き上がらせた放光窓の一例。なお図６は７文字の内、代表してアのみを表す。
【産業上の利用可能性】
【００１９】  従来の無目には、企業名、ビル名等を表記した場合も有りますが、夜間は見えない事も多く、多少のデザイン性は持っているものの、主に開口部の構成部材の一部分としてとらえられていました。しかし新提案の放光無目は内部に光源部を持ち、放光窓を通して企業名、ビル名、業態等を放光し、ＰＲすることが出来ますので、コマーシャルやデザイン機能がある物として認識が一般化すれば、エントランスの表情を大きく変えられるものと思います。文字、デザイン、色使い、表現等を色々変えれば独自の発信ができるエントランスになると思います。特に夜、企業名等が浮き上がることで差別化し、知名度アップや防犯にもつながりますので、採用されるチャンスは大いにあると思います。
【図面の簡単な説明】
【００２０】
【図１】  従来の無目を使用したサッシ正面図の一例。
【図２】  図１に本発明の放光無目１、２１を使用した時のイメージ図。
【図３】  ７０ミリと１００ミリ用アルミフロントの放光無目１の断面図。
【図４】  ステンレスとスチールサッシ用の放光無目２１の断面図
【図５】  １、２１に（株）アイシン技研を樹脂板一体型でデザインした一例。
【図６】  １、２１に（株）アイシン技研を文字切抜き型でデザインした一例。
【図７】  １、２１に（株）アイシン技研を樹脂板個別型でデザインした一例。
【符号の説明】
【００２１】  １  放光無目
２  光源部
３  前面部
４  取付け部
５  点検カバー部
６  放光窓
７  樹脂板
８  樹脂板取付け溝
９  方立
１０  上枠
１１  巾木
１２  無目
１３  扉
２１  放光無目
２２  光源部
２３  前面部
２４  取付け部
２５  点検カバー部
２６  放光窓
２７  樹脂板
２８  樹脂板取付け溝
【図１】
2010007444.tif 000003
【図２】
2010007444.tif 000004
【図３】
2010007444.tif 000005
【図４】
2010007444.tif 000006
【図５】
2010007444.tif 000007
【図６】
2010007444.tif 000008
【図７】
2010007444.tif 000009